(57)【要約】      （修正有）【課題】数十枚の絵・写真等の印刷物を順次展示するための表示装置を提供する。【解決手段】垂直使用の卓上、壁掛け両タイプで、同じ大きさのソフト数十枚（数枚〜１００枚位）のピクチャー束８を重ねてセットする。これを弾性力２２で押しつけボード１８を介して上端部に当てたローラー１に押圧し、タイマー５をセットしたモーター３による電動／もしくは手動でローラーを回し、最前面のピクチャーを一枚ずつ上方に送り出し、本体天井部のカーブに沿って進め、最後は後方スペースに積み上げる。セットした枚数全てを送り終わると１サイクルが終了し、上下逆になったピクチャー束を正立させて再セットする。【選択図】図１
0003109022.tif 000002
【実用新案登録請求の範囲】
【請求項１】
後傾（斜め上向き）もしくは、垂直で使用する壁掛け、卓上タイプの額で、２枚以上多数の絵写真、書、文等の印刷物（以後ピクチャーと略）を重ねてセットしてできたピクチャー束を後方から弾性体で押圧し、束の前面上端部をローラーで受け、展示終了後にタイマーセットのモーター、もしくは手動でこのローラーを回し、ピクチャーを一枚ずつ送り出し束の後方スペースに積み上げ、順次展示を切り替える機能を持った印刷物表示装置。
【請求項２】
前傾（斜め下向き）で使用する 壁掛けタイプの額で、２枚以上多数の絵写真、書、文等の印刷物（以後ピクチャーと略）を重ねてセットしてできたピクチャー束を後方が更に高くなるように角度を付けた（前面に対して狭角）床面にセットし、束が常に前方にずり落ちる状態にして、束の前面上端部をローラーで受け、展示終了後にタイマーセットのモーター、もしくは手動でこのローラーを回し、ピクチャーを一枚ずつ送り出し束の最後面上に積み上げ（裏面上下逆印刷物の自動再セット）順次展示を切り替える機能を持った印刷物表示装置。
【請求項３】
請求項１と２の表示装置において、ローラーの直後にセンサー・スイッチを設け、送り終わってローラーから外れたピクチャーの後端部が反った弾力性でセンサー・スイッチを押し、モーターを止める機能を持った印刷物表示装置。
【請求項４】
請求項１と２と３の表示装置において、リモコン受信機を設け、リモコン操作で多様なピクチャーの送りができる機能を持った印刷物表示装置。
【請求項５】
本考案印刷物表示装置用の印刷物ソフトで、両面（裏面は上下逆）に印刷した絵写真、書、文等の印刷物。
【考案の詳細な説明】
【技術分野】
【０００１】
本考案は、絵写真等の印刷物を展示するための、額縁、フォトスタンド等、およびその印刷物ソフトに関するものである。
【背景技術】
【０００２】
この分野は、本機能が明白単純な為、目立った革新は無く、微細な付加価値的な改良に終始している。
【考案の開示】
【考案が解決しようとする課題】
【０００３】
これまでは、額縁の絵、フォトスタンドの写真も機能としては１枚だけの展示である。入れ替えには手間がかかり億劫である。因って、複数の常時展示には、同数の額縁、フォトスタンドが必要になり、設置スペースも問題となってくる。絵写真と大小、形状のマッチングが有り、セットできない場合も有る。以上の理由で、飾りたくても飾れない多くの絵写真が、押し入れ、アルバム中に半死蔵化している。１枚だけの展示枚数、入れ替の手間、ハードとソフトのマッチングの三点が課題である。
【課題を解決するための手段】
【０００４】
一台で数十枚をセットして、順次展示できる機能を持った、本考案請求項１、２、３、４のディスプレイ装置「（仮）ネオピクチャーフレーム」、「（仮）ネオピクチャースタンド」及び、請求項５の企画統一されたソフト「（仮）ネオピクチャー」で課題が解決される。
【０００５】
請求項１は、後傾使用（斜め上向き）もしくは、垂直使用の卓上、壁掛け両タイプで、同じ大きさの企画統一ソフト数十枚（数枚〜１００枚位）のピクチャー束を重ねてセットする。これを弾性力で押しつけボードを介して上端部に当てたローラーに押圧し、タイマーセットのモーターによる電動、もしくは手動でローラーを回し、最前面のピクチャーを一枚ずつ上方に送り出し、本体天井部のカーブに沿って進め、最後は後方スペースに積み上げる。セットした枚数全てを送り終わると１サイクルが終了し、上下逆になったピクチャー束を正立して再セットする。
【０００６】
請求項２は、前傾使用（斜め下向き）の壁掛けタイプで、前述の弾性力と押しつけボードは不要となる。重ねてセットしたピクチャー束は、床面前下方傾斜のため、自重で前下方にずり落ち、上端部がローラーに押圧される。更なる相違は、後方に送られて来たピクチャーが順次最後面上に再セット（上下逆）されるため、前述の再セット作業も不要となる。ただしこの自動再セットは、請求項５の裏面上下逆プリントされた「（仮）ネオピクチャー」ソフトであることが条件となる。こうして１サイクル目が終わると、裏面展示の２サイクル目が始まり、これが終わると、また１サイクル目に戻り、延々と繰り返す。
【０００７】
請求項３は、電動両タイプに共通で、ピクチャーの送り終わりを関知するセンサーを備えた、モーターの電源を切るスイッチで、ピクチャーの送りをより正確に制御するモデルである。
【０００８】
請求項４は、電動両タイプの一部に装備する。前面上部にリモコン受信機を設け、リモコン操作で多様なピクチャーの送りができるモデルである。
【０００９】
請求項５の「（仮）ネオピクチャー」は本来、請求項２の前傾使用（斜め下向き）壁掛けタイプ専用の両面印刷（裏面は上下逆）した印刷物であるが、他のタイプでも当然使用でき、再セット作業の手間があるものの、枚数の二倍の種類展示が可能となる。更に企画範囲を拡大し、紙の大きさ、厚さ、堅さ、弾力性、材質、表面（張り付き難い）の状態、縦横、裏面印刷の有無等、又、著作品には、下端に題名、製作者名、国名、制作年、原画との縮尺率、著作者名等を印刷し、表記を企画統一すれば、便宜性、汎用性が増す。
【考案の効果】
【００１０】
”撮影”機器のカメラ、”印刷”機器のプリンター、及びそれらの周辺機器はデジタル化も相まって、凄まじい進歩を遂げつつあり、性能を上げ、コストを下げている。その結果、個人的（家庭）にも、業務的（企業）にも、上質な写真、印刷物が多量に生み出され、巷に溢れている。だが、残念なことに、これらを常時”展示”する方法、機器（器具）は、旧態依然のままである。アナログの雄（優？）額縁、フォトスタンドだけが、押し寄せるデジタルの潮流の中、化石様の現役で絶望的に頑張っている状態である。すなわち、”展示”においては、進歩から完全に取り残され、日々生み出される膨大なソフトの一般的な常時多量展示機器、方法は今だ無く、省みられることすら無かった。
【００１１】
これら従来の展示器具、壁に絵画を飾る額縁、机上のフォトスタンド等は一器具一枚が原則であり、手間の億劫さ、気に入り順位の優先性ため、入れ替えはまず行われない。（結果的に多数の気に入り順位２〜３位以降の絵写真は全て半死蔵運命）  いつかはきっと…と思いつつ手元に温存してきた、数多くの名画の複製画、ポスター、イラスト等、数十年分に及ぶ、家族の歴史、思い出の記念、スナップ写真等、個人的に、あるいは家庭の変遷として飾りたい絵写真は、どんなに厳選しても数十枚は下らない程、各家庭には埋もれていると思われる。スペースの関係で、精々一つ二つの額、写真スタンドに”非情の厳選による数枚”を飾り（思い入れの度合いはほとんど変わらないのに、選に漏れてしまった多くの絵写真たちに、その不公平を詫び、その後ろめたさに苛まれ、かと言って公平に扱うにはかなりの手間、作業がかかるため、葛藤の末…）入れ替えもほとんど無く、残りは押入、物置、アルバムの中に長期日の目も見ずに忘れられ、哀れ半死蔵というのが、絵写真の個人的、一般家庭における現状である。
【００１２】
会社においても各職場でコスト、手間、スペースが許せば、業務上展示したい資料、印刷物が大量に倉庫に眠っていると思われる。特に昨今では、個人の趣味、会社の業務で、高性能デジタルカメラの普及により簡単撮影でも上質の写真が数多く撮れてしまい、プリントしてもコストが嵩むだけで展示機会がほとんど無いので、未整理のまま、あるいは手間暇かけて整理編集してもパソコン内のアルバムの中に累々と半死蔵化される運命（極一部の当事者だけが極偶に閲覧する程度）となる。インターネットのダウンロードで入手できる多くの無料、もしくは格安で高画質なお気に入り絵写真も同様で、データのまま、半死蔵化される。すなわち、絵写真、書等は、壁面、机上に（間断はあっても）常時飾られ、より多くの時間、より多くの人の眼に触れ初めて、日の目を見、真価を発揮できるのである。この超難関の選に漏れた膨大な量の価値ある貴重な絵写真たちのほとんどが忘却の果てに、惨死している。
【００１３】
本考案のディスプレイ装置と統一企画「（仮）ネオピクチャー」の普及は、前述のように、かってその道の大家に入魂製作されたにも拘わらず、世に広く、深く、永く埋もれ、日の目も見ずに半死蔵化されている、膨大な量の”世に出て飾られるべき絵写真”を生き返らせ、真価を発揮させることとなる。又、これらのソフトは絵写真に限ったものではなく、イラスト、ポスター、書画、詩歌、文等はもちろん、市販の印刷物に限らず、学校で子供が描いた絵、書き初め字等、個人的な自作物にも及び、あらゆるジャンルで可能である。
【００１４】
因って、家庭からは、家族一人一人の個人的な絵写真、企業では各職場（事務、営業、サービス、広告宣伝、販売促進等）から業務用の絵写真、資料、の「（仮）ネオピクチャー」化が喚起される。業務用高画質スキャナーの配備で、従来の写真ＤＰＥのネットワークが利用でき、その一部門と成り、業界の盛況に寄与する。一般家庭、企業の職場における、高性能パソコン、プリンターの普及の現況で、「（仮）ネオピクチャー」化のフォーマットが、パソコン、プリンター、印字用紙に普及すれば、個人、社内でネオピクチャーが製作可能となり、個人の趣味の充実、企業の便宜、コストダウン等、広く深く文化の普及に貢献する。
【００１５】
市販ソフトとして、従来の本形式の芸術絵画全集に代わり、「（仮）ネオピクチャー」化すれば、好きな絵をより大きな画で一枚（表裏で二種）ずつ選択購買できる。ゴッホ、ピカソ等の名画（もちろん複製画）も身近になり、従来の”厳選の１〜２枚だけ”ではなく、”お気に入りの１０〜２０枚以上１００枚（２００種！）位まで”が気軽に飾れ、芸術が家庭に、職場に華開き溢れ、ホームギャラリー、オフィスギャラリーが実現する。ジャンルとして、芸術絵画だけではなく、著名な写真家の写真全集、イラスト画家のイラスト全集、書家の書画集、更には詩人歌人の詩歌集等々、広く創造分野を網羅し、ソフト化することにより、購買者は収集趣味の充実、出版印刷業界は活況、発表展示機会の増加で、芸術家及び、創造製作に携わる多岐の人々に創造意欲の高揚、仕事量の増大、生活安定等で寄与貢献できる。
【００１６】
更には、年に一度、”ネオピクチャー・コンテスト”なるものを絵画、イラスト、写真、書、詩歌等、部門別に開催し、プロは招待出品、アマ、一般にも応募を拡大し、一人表裏二種の作品を募集すれば、入賞作品は広く話題となり、即、大量の商品化が期待できる。これはアマプロを問わず、各分野の芸術家、制作者にとって大いなる励みとなり、レコード大賞に並ぶ、大衆参加の国民的な行事に育つ可能性も有る。一方、これら高品質ソフトの充実で、業務用大型タイプの装置を多数設置した、名画喫茶、アートカフェ、ピクチャーレストラン、フォトバー等、ギャラリー指向飲食店の隆盛に因る、高額なハード、ソフトの大量需要が期待できる。
【考案を実施するための最良の形態】
【００１７】
本考案のディスプレイ装置は、使用形態的に弾性力と押しつけボードを必要とする、後傾使用（垂直を含む）のスタンド（卓上型）フレーム（壁掛け型）両タイプ（図１〜３）と、それらが不要でシンプルな、前傾使用のフレームタイプ（壁掛け型）（図４）の二種がある。
【００１８】
前者は、ピクチャー束（８）の押しつけボード（１８）を有し、再セット作業が必要である。後部にコの字型二本足の支えスタンド（２４）を持つ。又、垂直使用で壁掛け型にもなる。そのため、両側部に吊り下げ紐の取り付けフック（１４）も持つ。大きさは、Ａ３型、Ａ４型、２Ｌ型、Ｌ型の四種とする。２Ｌ型、Ｌ型には、簡易廉価種として、手動型を用意すれば理想である。
後者は、押しつけボードは無くシンプルで、再セット作業も必要無い。両側部に吊り下げ紐の取り付けフック（１４）を持つ。大きさは標準仕様をＡ３型とＡ４型の二種とし、業務用特殊仕様として、Ａ３型以上に２種（新聞１ページと２ページ大）を用意すれば理想である。
【００１９】
又、形状別として、それぞれに縦型（図１〜４）と横型が有り、更には、主たる電動型（図１〜４）と、スタンドタイプ小型簡易廉価種の手動型が有る。
【００２０】
電動型は、側面にモーター（３）、タイマー（５）、電池ボックス（６）を有し、電池ボックスに設けた切り替えジャックにより、ＡＣアダプターで家庭用電源でも使用可能とする。手回しダイヤル（４）も持ち、手動でも操作できる。
又、送り作業の高度な制御をするセンサー・スイッチ（２６）付のモデルも有る。
【００２１】
更には、多様な操作を離れた位置からでも気軽にできるように、前面上部にリモコン受信機（７）を設け、リモコン・システムを装備したモデルも有る。
手動型は、前述の諸機能は持たず、単純に手回しダイヤル（４）だけで操作する。本体後面上部に開口部の蓋（２５塗りつぶし部分）を備え、ここを開けて、ソフトの出し入れ、セット作業を行う。
【００２２】
構造的には、以上の諸機能を搭載した後方の本体（１０〜１２）と、透明なガラス、もしくはアクリル板を組み込んだ、前面の額縁部（同９）に二分する。
額縁部は、大きさが同じなら縦横共通であり、別売で好みのタイプを選べ、本体にはめ込むようになっている。額縁の縁の部分と絵とのマッチングは非常に重要であり、縁の大きさ、形状、模様、色等、荘厳重厚なものから、シンプル無機的なものまで展示物に合わせ、絵画用、写真用、万能用のそれぞれ二種、計六種類用意すれば理想である。
【００２３】
本体の外周上下部に、専用（一般用も一部可）の照明ユニットを取り付ける突起（１５）が設けられている。オプションとして、高級感のある、絵写真を痛めない光源の照明ユニット（図１の１６）を大小、形状で数種類用意すれば理想である。
【００２４】
本考案ディスプレイ用の絵写真等ソフトは、紙質が表裏同質同格で企画統一された本考案の「（仮）ネオピクチャー」が理想ではあるが、ハードとソフトの普及バランス、多様性と一般性で早期充実を図るため、現行ＤＰＥプリントの写真用紙にまで適用範囲を広げる。
【実施例】
【００２５】
後傾使用（垂直を含む）のスタンド（卓上型）、フレーム（壁掛け型）両タイプは、図１〜３において、以下の様になる。重ねてセットされたピクチャー束（数枚〜１００枚位）（８）は、押しつけボード（１８）によって後方で支えられている。更に、本体両側面（１１）のバネ取り付け軸（２０）、装着されたバネ（２２）、バネ固定端止め軸（２１）等の作用で、押しつけボードの腕軸（バネ動端止め軸）（１９）が案内切り込み溝（２３）に沿って押され移動し、ボードがピクチャー束を本体の前面枠（図３の１２）と駆動軸（２）上のローラー（１）に押圧する。駆動軸（２）は両側面（１１）上部に軸穴が有り、（前から見て）左端にモーター（３）、右端に手回しダイヤル（４）を装着し、同軸上左右のローラー（１）を駆動する。ローラーの回転で最前面のピクチャーが一枚上方に送られ、次のピクチャーが現れる。送られたピクチャーは本体天井部のカーブに沿って進み、更に本体後面の内壁、もしくはすでに送られたピクチャー束（１７）に沿って進み、送り終わるとローラーから外れ、落ちて本体後面に束を形成して行く。全ての展示（送り）が終わると一サイクルが終了し、再セット作業を行う。尚、ピクチャーを後方スペースに送り出す際、印刷面を擦らないように、ローラーはピクチャーの左右の余白に当て、更には、この余白が滑って行く内壁部分に、レール状の突起（１３）を持つ。送られたピクチャーは本体後面にきちんと重ね上がるので、折れ、たわみ等が防がれ、再セットが容易になる。
【００２６】
図４の前傾使用のフレームタイプ（壁掛け型）は、前述の後傾使用（垂直を含む）両タイプに比べ、押しつけボード、バネ機構が無い分シンプルである。セットされたピクチャー束（８）は、床面が前下方傾斜のため、自重でずり落ち、本体の前面枠（図３の１２）と駆動軸（同２）上のローラー（同１）に押圧される。以後、ピクチャーを送る仕組みは前者と同じで変わらない。送り終わって積み上がる場所に相違が有り、前者の本体後面に対し、元のピクチャー束（８）の最後面上に積み上がる。つまり、最前面のピクチャーが順次最後面に裏面で再セットされる（上下逆になり画は正立）ため、再セット作業は不要になる。表面の展示が終わると、次に裏面の展示が始まり、これが終わって一サイクルを終了する。
【００２７】
タイマーの設定内容は本考案の重要な特徴であり、使い分けにより多彩な用途に対応する。まずＯＮ（入）、ＯＦＦ（切）が有り、次にオート（自動）とマニュアル（手動）が有る。マニュアル（手動）は、”連続”と、”一枚”だけピクチャーを送る二種のボタンが有る。オート（自動）は、秒、分、時間を選択し、各、０〜６０で任意設定する。
【００２８】
秒単位の設定（例…０，４，８，１２，１８，３０秒）は、短時間の流し見として、業務のプロモーション、広告宣伝のデモンストレーション、商品の紹介説明等に向く。
【００２９】
分単位の設定（例…１，２，３，５，１０，２０，３０分）は、お店、待合室等で業務の広告宣伝として、室内のインテリアとして、絵画、風景写真等、雰囲気作りに。
【００３０】
時間単位の設定（例…１，２，３，４，６，８，１２時間）は、同じく、お店、待合室等で業務の広告宣伝として、ごく一般的に室内のインテリアとして、雰囲気に合わせた展示物を。あるいは逆に、多ジャンルで雰囲気を変えて。
【００３１】
日単位（例…２４，４８，７２時間）の設定は、一般的な使用として、お店、職場内、家庭内のインテリアとして雰囲気作りに。逆の雰囲気変えとして、特に家庭内では日替わりで、今日はパパが撮った自慢の風景写真、明日はママの好きなルノアールの絵、明後日は、僕が学校で入選した絵、明々後日は妹の書き初め…等と、家族のお気に入りを順繰りに飾る、楽しい雰囲気のホームギャラリーがあげられる。
【００３２】
尚、深夜等、誰も見ない時間帯は、手動でＯＦＦ（タイマー設定は生きている）にするか、時間単位の設定で日替わりモードとして、パス時間設定をするか、パス用に無印刷、もしくは片面印刷を挿入して、セットすれば避けられる。
リモコン・タイプは、リモコンに前記二種のボタン（手動）と、０〜６０の秒単位設定ボタン（自動）と開始、停止の計１０ボタンが有る。リモコン操作は、本体のリモコン受信機をＯＮにして行い、タイマー設定が生きたままの割り込み操作となる。
【００３３】
絵写真等のソフトで写真に限れば、大きさを揃えることにより、現在手持ちの物がそのまま即使用でき、増やすことも、至る所にある町のＤＰＥネットワークで簡単にできる。普及著しい高性能Ａ４型プリンターを駆使すれば、個人的にも各家庭で、高画質のＡ４ソフトが大量にローコストで製作できる。一段上のＡ３型も身近になり、同様の高画質一眼デジカメとのコンビで、プロ並みのソフト製作も、すでに現実の物となっている。
【図面の簡単な説明】
【００３４】
【図１】請求項１の後傾使用（垂直を含む）の両タイプを示した左側面図（透視図）である。
【図２】請求項１の後傾使用（垂直を含む）の両タイプを示した後面図（本体後壁を外した図）である。
【図３】請求項１の後傾使用（垂直を含む）の両タイプを示した前面図（額縁部を外した図）である。
【図４】請求項２の前傾使用のフレームタイプ（壁掛け型）を示した左側面図（透視図）である。
【符号の説明】
【００３５】
１  ローラー
２  駆動軸
３  モーター
４  手回しダイヤル
５  タイマー
６  電池ボックス
７  リモコン受信機
８  セットされたピクチャー束
９  額縁部
１０  本体ケース前後上下（側面）
１１  本体ケース側面
１２  本体ケース前面
１３  内壁レール状突起
１４  吊り下げ紐の取り付けフック
１５  照明ユニットの取り付け突起
１６  照明ユニット
１７  送り出されたピクチャー束
１８  押しつけボード
１９  押しつけボードの腕軸（バネ動端止め軸）
２０  バネ取り付け軸
２１  バネ固定端止め軸
２２  バネ
２３  押しつけボードの腕軸の案内切り込み溝
２４  支えスタンド  
２５  後面開口部蓋（塗りつぶし部分）
２６  センサー・スイッチ
【図１】
0003109022.tif 000003
【図２】
0003109022.tif 000004
【図３】
0003109022.tif 000005
【図４】
0003109022.tif 000006
【手続補正書】
【提出日】平成16年8月25日(2004.8.25)
【手続補正１】
【補正対象書類名】実用新案登録請求の範囲
【補正対象項目名】請求項２
【補正方法】変更
【補正の内容】
【請求項２】
前傾（斜め下向き）で使用する壁掛けタイプの額で、２枚以上多数の絵写真、書、文等の印刷物（以後ピクチャーと略）を重ねてセットしてできたピクチャー束を後方が更に高くなるように角度を付けた床面にセットし、束が常に前方にずり落ちる状態にして、束の前面上端部をローラーで受け、展示終了後にタイマーセットのモーター、もしくは手動でこのローラーを回し、ピクチャーを一枚ずつ送り出し束の最後面上に積み上げ、順次展示を切り替える機能を持った印刷物表示装置。
【手続補正２】
【補正対象書類名】実用新案登録請求の範囲
【補正対象項目名】請求項５
【補正方法】変更
【補正の内容】
【請求項５】
本考案印刷物表示装置用の印刷物ソフトで、表面は正立、裏面は上下逆に印刷した絵写真、書、文等の印刷物。
【手続補正書】
【提出日】平成16年11月10日(2004.11.10)
【手続補正１】
【補正対象書類名】実用新案登録請求の範囲
【補正対象項目名】請求項１
【補正方法】変更
【補正の内容】
【請求項１】
斜め上向きの後傾、もしくは、垂直で使用する壁掛け、卓上タイプの額で、２枚以上多数の絵写真、書、文等の印刷物を重ねた束を後方から弾性体で押圧し、束の前面上端部をローラーで受け、展示終了後にタイマーセットのモーター、もしくは手動でこのローラーを回し、印刷物を一枚ずつ送り出し束の後方スペースに積み上げ、順次展示を切り替える機能を持った印刷物表示装置。
【手続補正２】
【補正対象書類名】実用新案登録請求の範囲
【補正対象項目名】請求項２
【補正方法】変更
【補正の内容】
【請求項２】
斜め下向きの前傾で使用する壁掛けタイプの額で、２枚以上多数の絵写真、書、文等の印刷物を重ねた束を後方が更に高くなるように角度を付けた床面にセットし、束が常に前方にずり落ちる状態にして、束の前面上端部をローラーで受け、展示終了後にタイマーセットのモーター、もしくは手動でこのローラーを回し、印刷物を一枚ずつ送り出し束の最後面上に積み上げ、順次展示を切り替える機能を持った印刷物表示装置。
【手続補正３】
【補正対象書類名】実用新案登録請求の範囲
【補正対象項目名】請求項３
【補正方法】変更
【補正の内容】
【請求項３】
請求項１と２の表示装置において、ローラーの直後にセンサー・スイッチを設け、送り終わってローラーから外れた印刷物の後端部が反った弾力性でセンサー・スイッチを押し、モーターを止める機能を持った印刷物表示装置。
【手続補正４】
【補正対象書類名】実用新案登録請求の範囲
【補正対象項目名】請求項４
【補正方法】変更
【補正の内容】
【請求項４】
請求項１と２と３の表示装置において、リモコン受信機を設け、リモコン操作で多様な印刷物の送りができる機能を持った印刷物表示装置。